(57)【要約】【課題】ハイバックの制帽を被ったまま装着が可能である制帽用フェイスシールドを提供する。【解決手段】制帽に装着するためのフェイスシールド１であって、顔部分を覆うフェイスシールド本体２と、制帽の周囲を覆うバンド部８を含み、フェイスシールド本体２とバンド部８とは着脱可能であり、シールド本体２は透明樹脂製シートであり、上部の両サイドには横に伸びるアーム部があり、フェイスシールド本体２の両サイドと前記アーム部の間には、制帽のつばにはめるための内側に向かう切れ込み部４ａがある。【選択図】図２
0003227800.tif 000002
【実用新案登録請求の範囲】
【請求項１】
制帽に装着するためのフェイスシールドであって、
顔部分を覆うフェイスシールド本体と、制帽の周囲を覆うバンド部を含み、前記フェイスシールド本体と前記バンド部とは着脱可能であり、
前記シールド本体は透明樹脂製シートであり、上部の両サイドには横に伸びるアーム部があり、前記フェイスシールド本体の両サイドと前記アーム部の間には、制帽のつばにはめるための内側に向かう切れ込み部があることを特徴とする制帽用フェイスシールド。
【請求項２】
前記切れ込み部はＶ字形である請求項１に記載の制帽用フェイスシールド。
【請求項３】
前記アーム部は、中央部が膨らみ、先端が先細りの突出部があり、前記中央部には内側に向かう先端Ｕ字形のフック部があり、
前記バンド部には一対の丸穴と、前記丸穴より内側にスリット孔があり、
前記アーム部の先端の突出部を前記バンド部の丸穴に挿入し、前記先端Ｕ字形のフック部を前記スリット孔に引っ掛け、前記バンド部に前記フェイスシールド本体を取り付ける請求項１又は２に記載の制帽用フェイスシールド。
【請求項４】
前記バンド部の一端部にはスリット孔が２本ずつ間をあけて開けられており、他端部を前記スリット孔に交互に挿入して制帽に固定する請求項１〜３のいずれか１項に記載の制帽用フェイスシールド。
【請求項５】
前記フェイスシールドは、厚さ２００〜７００μｍのポリエチレンテレフタレートシート製である請求項１〜３のいずれか１項に記載の制帽用フェイスシールド。
【考案の詳細な説明】
【技術分野】
【０００１】
本考案は制帽用フェイスシールドに関する。
【背景技術】
【０００２】
フェイスシールドは工事用として使用されているが、医療用としても感染症を防ぐために有用である。工事用フェイスシールドとしては、特許文献１〜２にヘルメットに装着して使用するものが提案されている。特許文献３の図３６Ｂには医療用フェイスシールドが提案されている。また、従来のフェイスシールドは、頭に巻いて固定するものや、眼鏡型のもの、不織布マスクに貼り付けるもの等、さまざまなものが提案されている。
【先行技術文献】
【特許文献】
【０００３】
【特許文献１】特開２０１７−０２５４２６号公報
【特許文献２】実用新案登録第３２２４６３５号公報
【特許文献３】特表２０１９−５３４７１７号公報
【考案の概要】
【考案が解決しようとする課題】
【０００４】
しかし、従来のフェイスシールドは、警察や交通関係で制帽を被って職務を行う人に装着しにくいという問題があった。とくに女性用制帽の場合、ハイバック（丸いつばの制帽）のものが多く、つばが邪魔になり、通常のフェイスシールドを装着できないからである。制帽を被って職務を行う人は、不特定多数の人と接することが多く、感染症対策として改善が求められていた。
【０００５】
本考案は、上記従来の問題を解決するため、ハイバックの制帽を被ったまま装着が可能である制帽用フェイスシールドを提供する。
【課題を解決するための手段】
【０００６】
本考案は、制帽に装着するためのフェイスシールドであって、顔部分を覆うフェイスシールド本体と、制帽の周囲を覆うバンド部を含み、前記フェイスシールド本体と前記バンド部とは着脱可能であり、前記シールド本体は透明樹脂製シートであり、上部の両サイドには横に伸びるアーム部があり、前記フェイスシールド本体の両サイドと前記アーム部の間には、制帽のつばにはめるための内側に向かう切れ込み部があることを特徴とする。
【考案の効果】
【０００７】
本考案の制帽用フェイスシールドは、フェイスシールド本体とバンド部とは着脱可能であり、フェイスシールド本体の両サイドとアーム部の間には、制帽のつばにはめるための内側に向かう切れ込み部があることにより、ハイバックの制帽を被ったまま装着が可能であり、フェイスシールド本体はバンド部と制帽のつばにより、制帽に強固に固定される。
【図面の簡単な説明】
【０００８】
【図１】図１は本考案の一実施形態のフェイスシールド本体とバンド部の模式的正面図である。
【図２】図２は同、フェイスシールドの模式的斜視図である。
【図３】図３Ａ−Ｂは同、バンド部をループ状に固定する手順を示す模式的説明図である。
【図４】図４は同、フェイスシールドを制帽に装着した状態を示す模式的斜視図である。
【考案を実施するための形態】
【０００９】
警察や交通関係など使用する制帽は、女性用ハイバック型の制帽の場合、つばが全周にあるため、顔の全面を覆うフェイスシールドとするには、つばの外側からフェイスシールドを固定する必要がある。このため、本考案の制帽用フェイスシールドは、顔部分を覆うフェイスシールド本体と、制帽の周囲を覆うバンド部に分け、前記フェイスシールド本体と前記バンド部とはアーム部で着脱可能とし、フェイスシールド本体の両サイドと前記アーム部の間には、制帽のつばにはめるための内側に向かう切れ込み部を設けた。これにより、ハイバックの制帽を被ったまま装着が可能であり、フェイスシールド本体はバンド部と制帽のつばにより、制帽に強固に固定される。このフェイスシールド本体は、透明樹脂製シートであり、前面の上端は制帽のつばより上にあり、前面の下端は顎の下まであり、両サイドが顔の側面まであり、顔全面をシールドできる。
【００１０】
前記切れ込み部はＶ字形であるのが好ましい。Ｖ字形である制帽のつばにはめやすい。
【００１１】
前記アーム部は、中央部が膨らみ、先端が先細りの突出部があり、前記中央部には内側に向かう先端Ｕ字形のフック部があり、前記バンド部には一対の丸穴と、前記丸穴より内側にスリット孔があり、前記アーム部の先端の突出部を前記バンド部の丸穴に挿入し、前記先端Ｕ字形のフック部を前記スリット孔に引っ掛け、前記バンド部に前記フェイスシールド本体を取り付けるのが好ましい。この取り付け方法により、アーム部とバンド部はフック部と先端部の２か所で固定され、前記２か所の固定部は相反する応力方向に働くことから、強固な固定となる。
【００１２】
前記バンド部の一端部にはスリット孔が２本ずつ間をあけて２か所開けられており、他端部を前記スリット孔に交互に挿入して制帽に固定するのが好ましい。これにより、スリット孔に挿入したバンド部基材と、スリット孔周辺のバンド部基材との摩擦力により、バンド部はループを形成した状態で強固に固定される。また、制帽のサイズに応じてサイズ調整が可能であり、多少のゆとりを持たせていることから、ほとんどのサイズの制帽においても対応可能である。さらに、制帽とフェイスシールドの着脱も容易である
【００１３】
前記フェイスシールドは、厚さ２００〜７００μｍのポリエチレンテレフタレートシート製であるのが好ましい。これにより強度が高く、傷つきにくくなる。
【００１４】
本考案のフェイスシールドは、警察、消防、自衛隊、警備、鉄道・バス・タクシー・船舶などの交通関係を含む制帽を被る人に有用である。本考案のフェイスシールドは、制帽の形状はほぼ同一であることから、ほとんどの制帽に装着することが可能である。また、フェイスシールドをすることによって、熱中症対策として、屋外でマスクを外すことが可能である。本考案のフェイスシールドは、ハイバック型の女性用制帽に好適であり、繊維素材はフェルト、ドスキン、カシドス、ニット、コットンなどいかなるハイバック型の女性用制帽にも適用できる。
【００１５】
以下図面を用いて説明する。以下の図面においては、同一符号は同一物を示す。図１は本考案の一実施形態のフェイスシールド１を構成するフェイスシールド本体２とバンド部８の模式的正面図である。フェイスシールド本体２の両サイドとアーム部３ａ，３ｂの間には、制帽のつばにはめるための内側に向かう切れ込み部４ａ，４ｂが設けられている。アーム部３ａ，３ｂは、中央部が膨らみ、先端が先細りの突出部７ａ，７ｂがあり、中央部には内側に向かう先端Ｕ字形のフック部５ａ，５ｂがある。フック部５ａ，５ｂはキノコ状であってもよい。フック部５ａ，５ｂと突出部７ａ，７ｂとの間には内部に切り込みを入れたストッパー部６ａ，６ｂを設けてもよい。ストッパー部ストッパー部６ａ，６ｂは上下に設けるのが好ましい。
【００１６】
バンド部８には一対の丸穴１０ａ，１０ｂと、丸穴１０ａ，１０ｂより内側にスリット孔９ａ，９ｂがあり、アーム部３ａ，３ｂの先端の突出部７ａ，７ｂを、バンド部８のスリット孔に挿入し、アーム部３ａ，３ｂの先端の突出部７ａ，７ｂをバンド部８の丸穴１０ａ，１０ｂに挿入し、前記先端Ｕ字形のフック部５ａ，５ｂをスリット孔９ａ，９ｂに引っ掛ける。この取り付け方法により、アーム部３ａ，３ｂとバンド部８は２か所で固定され、前記２か所の固定部は相反する応力方向に働くことから、強固な固定となる。
【００１７】
バンド部８の先端部１３は丸く形成され、後端部１２は幅広に形成され、スリット孔１１ａ−１１ｄが２本ずつ間をあけて２か所、合計４本開けられており、先端部をスリット孔１１ａ−１１ｄに交互に挿入して制帽に固定するのが好ましい。
【００１８】
図２は同、フェイスシールド１の模式的斜視図である。フェイスシールド本体２のアーム部の突出部７ａをバンド部８の丸穴１０ａに挿入し、フック部５ａをスリット孔９ａに引っ掛け、フェイスシールド本体２とバンド部８を一体化する。
【００１９】
図３Ａ−Ｂは同、バンド部８をループ状に固定する手順を示す模式的説明図である。バンド部８の一端部にはスリット孔が２本ずつ間をあけて２か所開けられており、他端部を前記スリット孔に交互に挿入して制帽に固定するのが好ましい。これにより、スリット孔に挿入したバンド部基材と、スリット孔周辺のバンド部基材との摩擦力により、バンド部はループを形成した状態で強固に固定される。また、制帽のサイズに応じてサイズ調整が可能であり、多少のゆとりを持たせていることから、ほとんどのサイズの制帽においても対応可能である。さらに、制帽とフェイスシールドの着脱も容易である。
【００２０】
図４は同、フェイスシールド１を制帽１４に装着した状態を示す模式的斜視図である。フェイスシールド本体２の切れ込み部４ａを制帽１４のつば１５の部分にはめ、バンド部と、フェイスシールド本体２と制帽１４のつば１５との押圧力で固定し、全体として制帽に強固に固定できる。
【実施例】
【００２１】
以下実施例により本考案をさらに具体的に説明する。なお、本考案は下記の実施例に限定されるものではない。
【００２２】
（実施例１）
厚さ５００μｍのポリエチレンテレフタレートシートを図１のようにカットした。フェイスシールド本体２の大きさは、突出部７ａ，７ｂ間のヨコ４４０ｍｍ、顔面シールド部のヨコ２７０ｍｍ、タテ２５０ｍｍ、アーム部３ａの長さ１２５ｍｍ、アーム部３ａの最大幅３７ｍｍであった。また、バンド部８の長さ７７５ｍｍ，幅２９ｍｍ、後端部１２の長さ１００ｍｍ，幅５７ｍｍであった。全体の重量は６０ｇであった。このフェイスシールドを図４に示すように制帽に装着し着用試験をした。その結果、装着性は良好で、人体の動きによっても脱落しにくく、感染症対策として良好なフェイスシールドであることが確認できた。
【産業上の利用可能性】
【００２３】
本考案の制帽用フェイスシールドは、警察や交通関係で制帽を着用しなければならない職業で、不特定多数の人と接するための人に有用である。
【符号の説明】
【００２４】
１  フェイスシールド
２  フェイスシールド本体
３ａ，３ｂ  アーム部
４ａ，４ｂ  切れ込み部
５ａ，５ｂ  フック部
６ａ，６ｂ  ストッパー部
７ａ，７ｂ  突出部
８  バンド部
９ａ，９ｂ  スリット孔
１０ａ，１０ｂ  丸穴
１１ａ−１１ｄ  スリット孔
１２  バンド部の後端部
１３  バンド部の先端部
１４  制帽
１５  制帽のつば
【図１】
0003227800.tif 000003
【図２】
0003227800.tif 000004
【図３】
0003227800.tif 000005
【図４】
0003227800.tif 000006